(57)【特許請求の範囲】
【請求項１】
マルチメディア印刷書籍のクロスメディアの関連関係の一意のコードを管理することにより、マルチメディア印刷書籍の出版及び使用に対するサービスを実現するために用いられ、出版業務管理プラットフォームと、読者サービスプラットフォームと、出版業務データベースと、読者プラットフォームデータベースと、機構操作管理プラットフォームとを備えるネットワークプラットフォームシステムであって、
前記出版業務管理プラットフォームは、出版者向けに、マルチメディア印刷書籍のクロスメディア関連の一意のコードを発行し、そのうち、前記マルチメディア印刷書籍のクロスメディア関連の一意のコードは、このようなマルチメディア印刷書籍のクロスメディアの関連関係を一意に示すとともに、これによって、特定の一意のコードの下で生成された全ての符号の一意性を確保するために用いられ、さらに、出版者が提出したマルチメディア印刷書籍のマルチメディア情報を前記出版業務データベースに記憶するとともに前記出版業務データベース内のデータを前記読者プラットフォームデータベースに同期させ／発行するために用いられ、
前記出版業務管理プラットフォームは、さらに、前記出版者が提出したマルチメディア印刷書籍のクロスメディア関連の一意のコードのリクエスト情報に基づき、前記機構操作管理プラットフォームからマルチメディア印刷書籍のクロスメディア関連の一意のコードを取得するために用いられ、
前記読者サービスプラットフォームは、前記読者プラットフォームデータベースと接続され、読者が提出したリクエストに基づき前記読者プラットフォームデータベースから前記マルチメディア情報を取得するとともに前記読者に提供するために用いられ、
前記機構操作管理プラットフォームは、前記出版業務管理プラットフォームが取得したマルチメディア印刷書籍のクロスメディア関連の一意のコードのリクエスト情報を照合し、照合を認定した後、マルチメディア印刷書籍のクロスメディア関連の一意のコードを生成するとともに、前記マルチメディア印刷書籍のクロスメディア関連の一意のコードを前記出版業務管理プラットフォームに提供するために用いられ、
前記マルチメディア印刷書籍は、MPR（Multimedia Print Reader）出版物を含んでよく、前記マルチメディア印刷書籍のクロスメディア関連の一意のコードは、MPRコード前置符号を含んでよく、画像及び文字の印刷に関連する音声又は映像を含むデジタルメディアファイルに関連付けることにより、関連電子機器の使用により、閲覧と同時に対応するマルチメディアコンテンツを読者に視聴させることを特徴とするネットワークプラットフォームシステム。
【請求項２】
前記出版業務管理プラットフォームは、さらに、前記出版者のリクエストに基づき、前記マルチメディア印刷書籍のクロスメディア関連の一意のコードの管理リクエストを生成するとともに、前記マルチメディア印刷書籍のクロスメディア関連の一意のコードの管理リクエストを前記機構操作管理プラットフォームに送信するために用いられ、
前記機構操作管理プラットフォームは、さらに、受信した前記マルチメディア印刷書籍のクロスメディア関連の一意のコードの管理リクエストに基づき管理操作を行うために用いられ、
そのうち、前記管理リクエストは、キャンセルリクエストまたは延期リクエストを含み、前記管理操作は、前記マルチメディア印刷書籍の、クロスメディア関連の一意のコードをキャンセルする、または前記マルチメディア印刷書籍のクロスメディア関連の一意のコードの使用期限を延長することを含むことを特徴とする請求項１に記載のネットワークプラットフォームシステム。
【請求項３】
前記マルチメディア印刷書籍のクロスメディア関連の一意のコード情報は、授権ファイルの形で記憶・発行されることを含むことを特徴とする請求項１又は２に記載のネットワークプラットフォームシステム。
【請求項４】
前記出版業務データベースまたは読者プラットフォームデータベースは、地域別または言語別データベースを含み、或いは、前記出版業務データベースまたは読者プラットフォームデータベースは、分散データベースであることを特徴とする請求項１又は２に記載のネットワークプラットフォームシステム。
【請求項５】
前記機構操作管理プラットフォームは、さらに、前記ネットワークプラットフォームのデータベースに記憶されるマルチメディア印刷書籍のマルチメディア情報に通常の暗号化処理を行うとともに、印刷物としか共に使用できないマルチメディア印刷書籍を取得するために用いられるか、または、
前記機構操作管理プラットフォームは、さらに、前記読者のユーザ口座番号情報を得て、前記ユーザ口座番号情報に基づき、前記ネットワークプラットフォームのデータベースに記憶されるマルチメディア印刷書籍のマルチメディア情報にカスタマイズされた暗号化処理を行い、前記ユーザ口座番号を用いる読者のみがマルチメディア印刷書籍リーダで識別できる暗号化マルチメディアファイルを取得するために用いられることを特徴とする請求項３に記載のネットワークプラットフォームシステム。
【請求項６】
前記機構操作管理プラットフォームは、さらに、
出版業務管理プラットフォームが取得したマルチメディア印刷書籍のクロスメディア関連の一意のコードのリクエスト情報を照合し、照合が認定された後、シリアル番号に基づきマルチメディア印刷書籍のクロスメディア関連の一意のコードを生成し、前記マルチメディア印刷書籍のクロスメディア関連の一意のコードに基づき授権ファイルを生成するとともに、当該授権ファイルとマルチメディア印刷書籍のクロスメディア関連の一意のコード情報とを前記ネットワークプラットフォームのデータベースに記憶するために用いられ、前記授権ファイルは、マルチメディア印刷書籍のクロスメディア関連の一意のコードを含み、前記出版者は、出版業務管理プラットフォームを介して前記授権ファイルを得られることを特徴とする請求項１又は２に記載のネットワークプラットフォームシステム。
【請求項７】
マルチメディア印刷書籍のクロスメディア関連の一意のコードを管理することにより、マルチメディア印刷書籍の出版及び使用に対するサービスを実現するために用いられ、出版業務管理プラットフォームと、読者サービスプラットフォームと、機構操作管理プラットフォームと、出版業務データベースと、読者プラットフォームデータベースとを備えるネットワークプラットフォームシステムに適用するネットワークプラットフォーム管理方法であって、
前記出版業務管理プラットフォームが、出版者により提出されたマルチメディア印刷書籍のクロスメディア関連の一意のコードのリクエスト情報を取得して、前記機構操作管理プラットフォームに提供し、
前記機構操作管理プラットフォームが、前記出版業務管理プラットフォームが取得したマルチメディア印刷書籍のクロスメディア関連の一意のコードの前記リクエスト情報を照合し、照合を認定した後、マルチメディア印刷書籍のクロスメディア関連の一意のコードを生成するとともに、前記マルチメディア印刷書籍のクロスメディア関連の一意のコードを前記出版業務管理プラットフォームに提供し、
前記出版業務管理プラットフォームは、前記機構操作管理プラットフォームから前記マルチメディア印刷書籍のクロスメディア関連の一意のコードを取得し、
前記出版業務管理プラットフォームは、前記出版者に前記マルチメディア印刷書籍のクロスメディア関連の一意のコードを発行し、そのうち、前記マルチメディア印刷書籍のクロスメディア関連の一意のコードは、このようなマルチメディア印刷書籍のクロスメディアの関連関係を一意に示すために用いられるとともに特定の一意のコードの下で生成された全ての符号の一意性を確保し、
前記出版業務管理プラットフォームは、出版者が提出したマルチメディア印刷書籍のマルチメディア情報を前記出版業務データベースに記憶するとともに前記出版業務データベース内のデータを前記読者プラットフォームデータベースに同期させ／発行し、
前記読者サービスプラットフォームは、読者が提出したリクエストに基づき前記読者プラットフォームデータベースから前記マルチメディア情報を取得するとともに前記読者に提供し、
前記マルチメディア印刷書籍は、MPR（Multimedia Print Reader）出版物を含んでよく、前記マルチメディア印刷書籍のクロスメディア関連の一意のコードは、MPRコード前置符号を含んでよく、画像及び文字の印刷に関連する音声又は映像を含むデジタルメディアファイルに関連付けることにより、関連電子機器の使用により、閲覧と同時に対応するマルチメディアコンテンツを読者に視聴させることを特徴とするネットワークプラットフォーム管理方法。
【請求項８】
前記ネットワークプラットフォーム管理方法は、さらに、
前記出版業務管理プラットフォームが、前記出版者のリクエストに基づき、前記マルチメディア印刷書籍のクロスメディア関連の一意のコードの管理リクエストを生成するとともに、前記マルチメディア印刷書籍のクロスメディア関連の一意のコードの管理リクエストを前記機構操作管理プラットフォームに送信することと、
前記機構操作管理プラットフォームが、受信した前記マルチメディア印刷書籍のクロスメディア関連の一意のコードの管理リクエストに基づき管理操作を行うことと、を含み、
そのうち、前記管理リクエストは、キャンセルリクエストまたは延期リクエストを含み、前記管理操作は、前記マルチメディア印刷書籍のクロスメディア関連の一意のコードをキャンセルする、または前記マルチメディア印刷書籍のクロスメディア関連の一意のコードの使用期限を延長することを含むことを特徴とする請求項７に記載のネットワークプラットフォーム管理方法。
【請求項９】
前記マルチメディア印刷書籍は、MPR出版物を含み、前記マルチメディア印刷書籍のクロスメディア関連の一意のコードは、MPRコード前置符号を含み、前記マルチメディア印刷書籍のクロスメディア関連の一意のコード情報は、授権ファイルの形で記憶・発行されることを特徴とする請求項７に記載のネットワークプラットフォーム管理方法。
【請求項１０】
前記ネットワークプラットフォームシステムは、さらに、機構操作管理プラットフォームを含み、
前記ネットワークプラットフォーム管理方法は、さらに、
前記出版業務管理プラットフォームが、前記出版者が提出したマルチメディア印刷書籍のクロスメディア関連の一意のコードのリクエスト情報に基づき、前記機構操作管理プラットフォームからマルチメディア印刷書籍のクロスメディア関連の一意のコードを取得し、
前記機構操作管理プラットフォームが、出版業務管理プラットフォームが提出したマルチメディア印刷書籍のクロスメディア関連の一意のコードのリクエスト情報を照合し、照合が認定された後、マルチメディア印刷書籍のクロスメディア関連の一意のコードを取得するとともに、前記マルチメディア印刷書籍のクロスメディア関連の一意のコードを前記出版業務管理プラットフォームに提供することを含むことを特徴とする請求項７〜９の何れか１項に記載のネットワークプラットフォーム管理方法。
【請求項１１】
前記方法は、さらに、
ユーザ端末のアプリケーションプログラムが、マルチメディア印刷書籍のクロスメディア関連の一意のコードを含む印刷書籍情報に基づいて、対応する印刷書籍データベースのアドレスをサーチし、前記印刷書籍データベースに前記マルチメディア印刷書籍のマルチメディア情報が記憶されており、
前記印刷書籍データベースのアドレスに基づいて、対応する印刷書籍データベースから前記印刷書籍情報に対応するマルチメディア情報を取得し、オンライン閲読をリアルタイムで実現することを含むことを特徴とする請求項７〜９の何れか１項に記載のネットワークプラットフォーム管理方法。
【請求項１２】
前記機構操作管理プラットフォームが、前記出版業務管理プラットフォームが記憶するマルチメディア印刷書籍のマルチメディア情報を変換することは、
前記機構操作管理プラットフォームが、前記ネットワークプラットフォームのデータベースに記憶されるマルチメディア印刷書籍のマルチメディア情報に通常の暗号化処理を行うとともに、印刷物としか共に使用できないマルチメディア印刷書籍を取得すること、または、
前記機構操作管理プラットフォームが、前記読者のユーザ口座番号情報を得て、前記ユーザ口座番号情報に基づき前記ネットワークプラットフォームのデータベースに記憶されるマルチメディア印刷書籍のマルチメディア情報にカスタマイズされた暗号化処理を行い、前記ユーザ口座番号を用いる読者のみがマルチメディア印刷書籍リーダで識別できる暗号化マルチメディアファイルを取得することを含むことを特徴とする請求項９に記載のネットワークプラットフォーム管理方法。
【請求項１３】
前記機構操作管理プラットフォームは、出版業務管理プラットフォームが提出したマルチメディア印刷書籍の、クロスメディア関連の一意のコードのリクエスト情報を照合し、照合が認定された後、マルチメディア印刷書籍の、クロスメディア関連の一意のコードを得て、前記マルチメディア印刷書籍の、クロスメディア関連の一意のコードを前記出版業務管理プラットフォームに提供することは、
前記機構操作管理プラットフォームが、出版業務管理プラットフォームが取得したマルチメディア印刷書籍の、クロスメディア関連の一意のコードのリクエスト情報を照合することと、
照合が認定された後、シリアル番号に基づき、マルチメディア印刷書籍の、クロスメディア関連の一意のコードを生成し、前記マルチメディア印刷書籍の、クロスメディア関連の一意のコードに基づき授権ファイルを生成するとともに、前記授権ファイルを前記ネットワークプラットフォームのデータベースに記憶し、前記出版者は、出版業務管理プラットフォームを介して前記授権ファイルを得られることとを含むことを特徴とする請求項１０に記載のネットワークプラットフォーム管理方法。
【発明の詳細な説明】
【技術分野】
【０００１】
本発明は、ネットワーク管理分野に関し、特に、ネットワークプラットフォームシステム及びその管理方法に関する。
【背景技術】
【０００２】
人々は伝統的に、本や新聞などの従来型の出版物を目で読むことに慣れている。しかし、このような情報の取得方法では、現在のマルチメディア情報の発展に適応しにくくなる一方、目が見えない又は目の不自由な人は、このような従来型の出版物を読むことすらできず、また、字を読めないまたは少ししか読めない幼児にとって、読書や学習する際に不便をもたらしている。
【０００３】
そのため、近年、音声化された出版物が登場しており、２次元コードの音声リーダによって、本の内容を解読し発音して読者に聞き取らせることができる。
【０００４】
一般的に、２次元コードは、主な形式が平文記号である。音声閲読出版物において、２次元コード符号が文字、段落の間や紙面の目立つ位置にはっきり印刷されており、リーダは、２次元コード符号に位置合わせされることで、２次元コード符号を読み取り、対応する音声に変換して発声することができる。このような平文記号は、印刷面の空白箇所にしか印刷できず、通常１つのコードの形で現れるため、印刷面の美観に多少影響を与える。又、平文記号を見つけ易くするために、平文記号は、通常大きく印刷され、印刷精度への要求が低いものの、本来の図形や文字のレイアウトに影響を与えてしまう。
【０００５】
ところが、市場で既に見られる２次元音声リーダ装置及び出版システムは、従来の２次元コードで発音位置を示し、発声のインデックス数に限度があるため、異なる出版物が同じ符号化コードを共有し、読取装置の音声ファイルが対象となる出版物に対応してしまい、読み取り発声内容が混乱してちぐはぐな状態になることがある。
【発明の概要】
【発明が解決しようとする課題】
【０００６】
本発明は、解決しようとする課題は、ネットワークプラットフォームによりマルチメディア印刷書籍の管理を実現できるネットワークプラットフォームシステム及びその管理方法を提供することにある。
【課題を解決するための手段】
【０００７】
そこで、一つの局面では、本発明の実施例に係るネットワークプラットフォームシステムは、マルチメディア印刷書籍のクロスメディア（キャリア）関連関係の一意のコードを管理することにより、マルチメディア印刷書籍の出版及び使用に対するサービスを実現するために用いられ、出版業務管理プラットフォームと、読者サービスプラットフォームと、出版業務データベースと、読者プラットフォームデータベースとを備えるネットワークプラットフォームシステムであって、
前記出版業務管理プラットフォームは、出版者向けにマルチメディア印刷書籍のクロスメディア関連の一意のコードを発行し、そのうち、前記マルチメディア印刷書籍のクロスメディア関連の一意のコードは、このようなマルチメディア印刷書籍のクロスメディアの関連関係を一意に示すとともに、これによって、特定の一意のコードの下で生成された全ての符号の一意性を確保するために用いられ、さらに、出版者が提出したマルチメディア印刷書籍のマルチメディア情報を前記出版業務データベースに記憶するとともに前記出版業務データベース内のデータを前記読者プラットフォームデータベースに同期させ／発行するために用いられ、
前記読者サービスプラットフォームは、前記読者プラットフォームデータベースと接続され、読者が提出したリクエストによって前記読者プラットフォームデータベースから前記マルチメディア情報を取得するとともに前記読者に提供するために用いられる。
【０００８】
ここで、前記マルチメディア印刷書籍は、MPR（Multimedia Print Reader）出版物を含み、前記マルチメディア印刷書籍のクロスメディア関連の一意のコードは、MPRコード前置符号を含み、前記マルチメディア印刷書籍のクロスメディア関連の一意のコード情報は、授権ファイルの形で記憶・発行される。
【０００９】
前記出版業務管理プラットフォームは、さらに、前記出版者のリクエストに基づき前記マルチメディア印刷書籍のクロスメディア関連の一意のコードの管理リクエストを生成するとともに、前記マルチメディア印刷書籍のクロスメディア関連の一意のコードの管理リクエストを運営管理プラットフォームに送信するために用いられ、前記運営管理プラットフォームは、さらに、受信した前記マルチメディア印刷書籍のクロスメディア関連の一意のコードの管理リクエストに基づき管理操作を行うために用いられ、そのうち、前記管理リクエストは、キャンセルリクエストまたは延期リクエストを含み、前記管理操作は、前記マルチメディア印刷書籍のクロスメディア関連の一意のコードをキャンセルする、または前記マルチメディア印刷書籍のクロスメディア関連の一意のコードの使用期限を延長することを含む。
【００１０】
前記出版業務管理プラットフォームは、さらに、出版者が提出したマルチメディア印刷書籍のマルチメディア情報をネットワークプラットフォームのデータベースに記憶するとともに、前記マルチメディア印刷書籍のマルチメディア情報を管理するために用いられてよい。
【００１１】
前記運営管理プラットフォームは、さらに、前記ネットワークプラットフォームのデータベースに記憶するマルチメディア印刷書籍のマルチメディア情報を変換し、標準的なマルチメディア印刷書籍のマルチメディア情報を得るとともにネットワークプラットフォームのデータベースに記憶するために用いられてよい。
【００１２】
他の局面では、本発明の実施例に係るネットワークプラットフォーム管理方法は、マルチメディア印刷書籍のクロスメディア関連の一意の符号を管理することにより、マルチメディア印刷書籍の出版及び使用に対するサービスを実現するために用いられ、出版業務管理プラットフォームと、読者サービスプラットフォームと、出版業務データベースと、読者プラットフォームデータベースとを備えるネットワークプラットフォームシステムに適用するネットワークプラットフォーム管理方法であって、
前記出版業務管理プラットフォームは、出版者にマルチメディア印刷書籍のクロスメディア関連の一意のコードを発行し、そのうち、前記マルチメディア印刷書籍のクロスメディア関連の一意のコードは、このようなマルチメディア印刷書籍のクロスメディアの関連関係を一意に示すために用いられるとともに特定の一意のコードの下で生成された全ての符号の一意性を確保し、
前記出版業務管理プラットフォームは、出版者が提出したマルチメディア印刷書籍のマルチメディア情報を前記出版業務データベースに記憶するとともに前記出版業務データベース内のデータを前記読者プラットフォームデータベースに同期させ／発行し、
前記読者サービスプラットフォームは、読者が提出したリクエストに基づき前記読者プラットフォームデータベースから前記マルチメディア情報を取得するとともに前記読者に提供する。
【００１３】
ここで、前記マルチメディア印刷書籍は、MPR出版物を含み、前記マルチメディア印刷書籍のクロスメディア関連の一意のコードは、MPRコード前置符号を含み、前記マルチメディア印刷書籍のクロスメディア関連の一意のコード情報は、授権ファイルの形で記憶・発行される。
【００１４】
さらに、前記方法は、前記出版業務管理プラットフォームが、前記出版者のリクエストに基づき前記マルチメディア印刷書籍のクロスメディア関連の一意のコードの管理リクエストを生成するとともに、前記マルチメディア印刷書籍のクロスメディア関連の一意のコードの管理リクエストを運営管理プラットフォームに送信すること、前記運営管理プラットフォームが、受信した前記マルチメディア印刷書籍のクロスメディア関連の一意のコードの管理リクエストに基づき管理操作を行うこと、及び、前記管理リクエストは、キャンセルリクエストまたは延期リクエストを含み、前記管理操作は、前記マルチメディア印刷書籍のクロスメディア関連の一意のコードをキャンセルする、または前記マルチメディア印刷書籍のクロスメディア関連の一意のコードの使用期限を延長することを有することを含む。
【００１５】
前記方法は、さらに、前記出版業務管理プラットフォームが、出版者が提出したマルチメディア印刷書籍のマルチメディア情報をネットワークプラットフォームのデータベースに記憶するとともに、前記マルチメディア印刷書籍のマルチメディア情報を管理することを含む。
【００１６】
前記方法は、さらに、前記運営管理プラットフォームが前記ネットワークプラットフォームのデータベースに記憶されるマルチメディア印刷書籍のマルチメディア情報を変換し、標準的なマルチメディア印刷書籍のマルチメディア情報を得るとともに前記ネットワークプラットフォームのデータベースに記憶することを含む。
【００１７】
前記方法は、さらに、ユーザ端末のアプリケーションプログラムがマルチメディア印刷書籍のクロスメディア関連の一意のコードを含む印刷書籍情報に基づいて、対応する印刷書籍データベースのアドレスをサーチし、前記印刷書籍データベースに前記マルチメディア印刷書籍のマルチメディア情報が記憶されており、
前記印刷書籍データベースのアドレスに基づいて、対応する印刷書籍データベースから前記印刷書籍情報に対応するマルチメディア情報を取得し、オンライン読み取りをリアルタイムで実現することを含む。
【００１８】
本発明の実施例に係るネットワークプラットフォームシステム及び対応する管理方法では、プラットフォームは、マルチメディア印刷書籍のクロスメディア関連の一意のコードを統一的に発行することができるため、出版者が取得したマルチメディア印刷書籍のクロスメディア関連の一意のコードの独特性を保証し、異なる出版物が同じ符号化コードを共用する可能性を避けられ、ユーザの閲読体験が増え、さらにマルチメディア印刷書籍の出版及び使用サービスに対する自動化及び統一化を実現し、出版者に版権の保護されたデジタル出版サービスプラットフォームを提供することができる。同時に、出版業務データベースは、このような操作方式を同期させ／発行することによりマルチメディア印刷書籍の基礎データ（例えば、書名、著者名、ISBNなど）を読者プラットフォームデータベースにコピーすることができる。読者サービスプラットフォームにおいて、これらの基礎データは読み取り専用であり、このようにする目的は、バックアップと、データの一致性を保証することの２点である。
【００１９】
以下、本発明の実施例または従来技術における技術案をより詳しく説明するため、実施例または従来技術の記述に必要な添付図面について簡単に説明するが、下記の添付図面は、本発明の幾つかの実施例にすぎず、創造的な働きを行わない前提下で、これらの図面に基づいて他の図面を得られることは、当該分野の通常知識を有する技術者にとって明らかである。
【図面の簡単な説明】
【００２０】
【図１】本発明の実施例に係るネットワークプラットフォームの具体的な構成を示す図である。
【図２】本発明の実施例に係るネットワークプラットフォームの他の具体的な構成を示す図である。
【図３】本発明の実施例に係るネットワークプラットフォームの具体的な構造の階層を示す図である。
【図４ａ】本発明の実施例に係る多言語データベースの具体的な構成を示す図である。
【図４ｂ】本発明の実施例に係る地域別データベースの具体的な構成を示す図である。
【図４ｃ】本発明の実施例に係る分類別分散データベースの具体的な構成を示す図である。
【図５】本発明の実施例に係る前置符号を申請するインターフェースの具体的な構成を示す図である。
【図６】本発明の実施例に係る出版者の使用に提供する業務操作インターフェースの具体的な構成を示す図である。
【図７】本発明の実施例に係るMPR出版業務管理プラットフォームが提供するアップロードインターフェースの具体的な構成を示す図である。
【図８】本発明の実施例に係るネットワークプラットフォーム管理方法の具体的なフローチャートである。
【図９】本発明の実施例に係るマルチメディア情報のアップロードのフローを示す図である。
【図１０】本発明の実施例に係るマルチメディア印刷書籍のクロスメディア関連の一意のコードの発行フローを示す図である。
【図１１】本発明の実施例に係るMPRデジタルメディアファイルの発行フローを示す図である。
【図１２】本発明の実施例に係る一般の暗号化フローを示す図である。
【図１３】本発明の実施例に係るユーザによる暗号化認証フローを示す図である。
【発明を実施するための形態】
【００２１】
以下、本発明の添付図面を参照しながら本発明の実施例の技術案を更に詳細に説明するが、下記実施例は本発明の実施例の一部にすぎず、全ての実施例ではないことは明らかである。本発明の実施例に基づいて、当該分野の通常知識を有する技術者が、創造的な働きを行わない前提下で得たその他の実施例は全て、本発明の保護範囲内にある。
【００２２】
本発明の具体的な実施例では、MPR（Multimedia Print Reader）コードをマルチメディア印刷書籍出版物の二次元コードとし、リーダが二次元コードを識別することにより発声し、マルチメディアによる閲読という目的を実現できる。本発明の実施例では、MPRコードは、マトリックス型二次元コードを構造とするデジタル符号であり、印刷図形や文字に関わる音楽・映像などのデジタルメディア書類に関連させることにより、読者が閲読と同時に、関連電子機器（例えば、相応のリーダ）により、対応するマルチメディアの内容を同期して聞いたり見たりすることができる。
【００２３】
MPRコードには前置符号（prepositive code）が含まれており、当該前置符号は、MPRコードにおいてMPR出版物を一意に示すために用いられる。それに応じて、下記の各実施例における前記マルチメディア印刷書籍は、MPR出版物であってよく、前記マルチメディア印刷書籍のクロスメディア関連の一意のコードは、MPRコード前置符号であってよい。ここで特に、当該一意のコードは、一つの具体的な媒体形式（例えば、紙書籍または電子ファイル）を示すものではなく、２つのまたは複数のクロスメディア形式の関連関係を示すもので、印刷書籍における全ての関連点がいずれも一意のコードであることを実現するために使われていることについて説明しておく。
【００２４】
本発明の具体的実施例では、ネットワークプラットフォームにより当該マルチメディア印刷書籍のクロスメディア関連の一意のコードを管理し、管理上のネットワーク化及び自動化を実現する一方、出版者が出版物を出版する時に、異なる出版物に対し異なる符号化コードを用いることを保証できるようになる。
【００２５】
以下、添付図面を参考して、本発明の実施例を説明する。図１は、本発明の実施例に係るネットワークプラットフォームの具体的な構成を示す図である。当該ネットワークプラットフォームは、マルチメディア印刷書籍のクロスメディア関連の一意の符号を管理することにより、マルチメディア印刷書籍の出版及び使用に対するサービスを実現するために用いられ、出版業務管理プラットフォームと、読者サービスプラットフォームと、出版業務データベースと、読者プラットフォームデータベースとを含む。
【００２６】
出版業務管理プラットフォームは、出版者と交流するプラットフォームとして、出版者に対し情報の送受信を行い、特に、マルチメディア印刷書籍のクロスメディア関連の一意のコードを出版者に発行し、そのうち、前記マルチメディア印刷書籍のクロスメディア関連の一意のコードは、このようなマルチメディア印刷書籍のクロスメディアの関連関係を一意に示すために用いられるとともに、特定の一意のコード下で生成された全ての符号化コードの一意性を確保する。
【００２７】
当該マルチメディア印刷読み物のクロスメディア関連の一意のコードを発行する時、授権ファイルの形で発行し記憶する。出版者は、当該授権ファイルを受け取った後、当該授権ファイルのうち当該マルチメディア印刷書籍のクロスメディア関連の一意のコードを除いた他のコードしか編集できない。例えば、MPR出版物に対し、授権ファイルのうちｎビット（例えば、１０ビット）が前置符号であり、当該前置符号がMPR出版物と一対一で対応する関係であり、出版者は当該授権ファイルを受け取った後、当該前置符号以外のその他の符号（例えば、後置符号）しか編集できず、これらの符号を加えれば、ある出版物のうちのある部分の情報を示すことができる。
【００２８】
出版業務管理プラットフォームは、さらに、出版者が提出したマルチメディア印刷書籍のマルチメディア情報を前記出版業務データベースに記憶するとともに、前記出版業務データベース内のデータを前記読者プラットフォームデータベースに同期させ／発行する（例えば、運営管理プラットフォームからの確認情報に基づいて前記出版業務データベース内のデータを前記読者プラットフォームデータベースに同期させ／発行し、ここで、この同期データとはマルチメディア情報であってよい）。同時に、出版業務データベース内のデータに対し他の操作を行うこともできる。
【００２９】
例えば、当該マルチメディア印刷書籍のマルチメディア情報は、MUFデジタルメディアファイル情報であってよい。上述したプロセスとして、出版者が、出版業務管理プラットフォームが提供する「書籍リスト」セクションに登録するとともに、MUFデジタルメディアファイルのアップロードインターフェースにアクセスし、MUFデジタルメディアファイルのバージョンを選択し（或いはバージョンについての説明を同時に記入し）、その後、それに対応したMUFデジタルメディアファイルを出版業務管理プラットフォーム１よりネットワークプラットフォームの出版業務データベースにアップロードする（図９に示す）。
【００３０】
前記読者サービスプラットフォームは、前記読者プラットフォームデータベースと接続され、読者が提出したリクエストに基づき前記読者プラットフォームデータベースから前記マルチメディア情報を取得するとともに前記読者に提供する。
【００３１】
図２に示すように、当該システムは、操作管理プラットフォームを含んでもよい。運営管理プラットフォームは、出版物管理者の管理プラットフォームとして、出版業務管理プラットフォームにより、出版者が提供した情報を得るとともに、マルチメディア印刷書籍のクロスメディア関連の一意のコード（例えば、MPR前置符号）を管理することにより出版物に対する管理を実現する。
【００３２】
例えば、運営管理プラットフォームは、出版業務管理プラットフォームが取得したマルチメディア印刷書籍のクロスメディア関連の一意のコードのリクエスト情報を照合し、照合認定した後、マルチメディア印刷書籍のクロスメディア関連の一意のコードを得る（照合認定されなかった場合、出版者に認定されなかった原因を通知し、当然、いかなる処理も行わなくてもよい）。
【００３３】
より詳しく説明すると、運営管理プラットフォームは、出版業務管理プラットフォームが取得したマルチメディア印刷書籍のクロスメディア関連の一意のコードのリクエスト情報を照合し、照合認定した後、シリアル番号に基づきマルチメディア印刷書籍のクロスメディア関連の一意のコードを生成するとともに、前記マルチメディア印刷書籍のクロスメディア関連の一意のコードを前記ネットワークプラットフォームの出版業務管理データベースに記憶し、ここで、前記マルチメディア印刷書籍のクロスメディア関連の一意のコード情報は、授権ファイルの形で存在できる。前記出版者には、前記マルチメディア印刷書籍のクロスメディア関連の一意のコードを取得した旨の情報を通知する（図１０に示す）。
【００３４】
前記出版業務管理プラットフォームと運営管理プラットフォームは、さらに、例えば、出版業務管理プラットフォームが前記出版者のリクエストに基づき前記マルチメディア印刷書籍のクロスメディア関連の一意のコードの管理リクエストを生成するとともに、前記マルチメディア印刷書籍のクロスメディア関連の一意のコードの管理リクエストを前記運営管理プラットフォームに送信し、それに応じて、運営管理プラットフォームは、さらに、受信した前記マルチメディア印刷書籍のクロスメディア関連の一意のコードの管理リクエストに基づき管理操作を行うなど、より多い管理機能を実現できる。ここで、前記管理リクエストは、キャンセルリクエストまたは延期リクエストを含み、前記管理操作は、前記マルチメディア印刷書籍のクロスメディア関連の一意のコードをキャンセルする、または前記マルチメディア印刷書籍のクロスメディア関連の一意のコードの使用期限を延長することを含む。
【００３５】
また、前記運営管理プラットフォームは、ネットワークプラットフォームの出版業務データベースに記憶されるマルチメディア印刷書籍のマルチメディア情報を変換し、標準的なマルチメディア印刷書籍のマルチメディア情報を得るとともにネットワークプラットフォームのデータベースに記憶する。
【００３６】
例えば、運営管理プラットフォームは、出版業務管理プラットフォームの「マルチメディア印刷書籍発行管理」セクションにより、ネットワークプラットフォームのデータベースに記憶されるMUFデジタルメディアファイルを暗号化してMPRデジタルメディアファイルを生成し、MPRデジタルメディアファイルを照合するとともに、相応のデータ（例えば、絵、プロフィール、音声試聴ファイルなど）が揃っているか、リクエストに合致しているかを確認し、照合の結果、一致していると確認した場合、発行機能を通じて、読者がダウンロードできるように出版業務データベース中のデータを読者プラットフォームデータベースに同期させる（図１１に示す）。
【００３７】
ここで、前記暗号化には複数の暗号化方式があってよい。例えば、図１２に示す一般の暗号化方式では、前記ネットワークプラットフォームのデータベースに記憶されるMUFデジタルメディアファイルをDRM暗号化処理し、MPRデジタルメディアファイルを得て、当該MPRデジタルメディアファイルは、特定の印刷物としか共に使用できない。例えば、出版業者がMPRコードのマルチメディア情報（例えば、音声ファイル）を製作、発行するとともに、当該MPRコードに対応する印刷物を出版した場合、ユーザは当該印刷物上でなければマルチメディア情報を正常に使用できず、例えば、正確な文字または画像上で対応する音声の解読を行うことができない。
【００３８】
または、図１３に示すユーザ認証暗号化方式であってもよく、すなわち、前記読者のユーザ口座番号情報を得て、前記ユーザ口座番号情報に基づき前記ネットワークプラットフォームのデータベースに記憶されるMUFデジタルメディアファイルにカスタマイズされた暗号化処理を行い、前記ユーザ口座番号を用いる読者のみがマルチメディア印刷書籍リーダで識別できる暗号化マルチメディアファイルを得る。
【００３９】
前記２種類の暗号化方式は、併せて使用し、すなわち二重に暗号化してもよく、それぞれ単独に使用してもよい。
【００４０】
一方、読者は、暗号化されたMPRデジタルメディアファイルを得た後、対応するMPRリーダが再生前にこのファイルを復号化し、復号化したファイルを再生することができる。DRM暗号化の場合、それに応じてDRM暗号化を用い、ユーザ口座番号情報カスタマイズ暗号化を用いる場合、それに応じて暗号化時にユーザ口座番号情報を得る必要があり、その後、ユーザ口座番号情報に基づいてMPRデジタルメディアファイルを復号化する。
【００４１】
前記暗号化及び復号化によりデジタル版権保護を実現でき、デジタル版権保護は、主に版権の権益を保護し違法な拡散を禁止するためである。具体的な技術的バックアップ構造は、バックグラウンドまたは隠れた形態（読者及び出版者に対する）であり、出版者には作成過程、デジタルメディアファイルのアップロード、発行及び読取機器技術フォーマットの一致性を提供し、識別の信頼性及び版権保護の面での技術的処理を提供する。当該技術的処理は、システム運営過程において自動に生じ、ベース面での技術保障であり、出版者及び読者が理解し介入する必要がなく、専門家によりメンテナンス及び管理を行い、出版者及び読者には技術的障害または困難をもたらすことはない。
【００４２】
図３は、本発明の実施例に係るネットワークプラットフォームシステムの具体的な構造の階層を示す図である。本例では、MPR読者サービスプラットフォームと、MPR運営管理プラットフォームと、MPR出版業務管理プラットフォームと、データベースの間の関係が示されている。そのうち、データベースは、MPR読者データベースと、MPR出版業務データベースとを含み、２つのデータベースの間でデータのコピーを行うことができる。具体的なデータ特性の違いにより、当該コピーは同期コピーであってよいが、非同期コピーであってもよい。単一ファイルのコピーであってよいが、バッチ式のコピーであってもよい。図に示すように、この２つのデータベースに記憶されているファイルは、音声映像ファイルを含んでもよい。そのうち、MPR読者データベースのデータは、ユーザのダウンロードのために用いられ、MPR出版業務データベースのデータは、出版者及び管理機構のために用いられ、この２つのデータベースによる同期／発行の内容及びタイミングなどを制御することにより、ネットワークプラットフォームシステム中のMPR読者サービスプラットフォームは、他のプラットフォームと交流することができる。
【００４３】
前記データベースは、異なるデータベースグループ技術を用いることができる。例えば、Oracle、Sybase、SQL Serverなどは、いずれも成熟したデータベースグループ解決案を有し、通常のMySQLが提供するMaster/Slaveも、同様である。
【００４４】
本発明の実施例では、MPRネットワークプラットフォームは、多数の言語をサポート可能で、異なる地域、異なる分類別に分けられている。データベースの構造上で、異なる言語バージョンのデータベース、異なる地域のデータ、及び分類に応じた分散データベースを設計する必要がある。図４ａは、多言語データベースの具体的な構成を示す図である。図４ｂは、地域別データベースの具体的な構成を示す図である。図４ｃは、分類別分散データベースを示す図である。前記添付図面での「データベース」とは、読者プラットフォームデータベースまたは出版業務データベースを意味する。
【００４５】
本発明の実施例をより詳しく説明するため、以下、本発明の幾つかの具体的実施例における出版業務管理プラットフォーム、運営管理プラットフォーム、及び読者サービスプラットフォームの機能及び実現方式をそれぞれ詳しく説明する。
【００４６】
一、MPR出版業務管理プラットフォーム
MPR出版業務管理プラットフォームは、MPR出版物国際事務組織とMPR出版者とが業務連絡及び情報伝達を行う業務プラットフォームであり、MPR出版者にMPRコードの利用や、ネットワーク技術支援などの業務及び関連サービスを提供する。以下の幾つかの機能を備える。
【００４７】
１、MPRコード前置符号申請
MPR出版者は、MPRコード前置符号を申請する時に、MPR出版業務管理プラットフォームが提供したユーザの使用インターフェース（例えば、ウェブページ）を介して、インターフェース内に書籍の登録データ及び内容情報、例えば、出版者、出版物の名称、ISBN、責任編集者等を記入することができる。図５は「前置符号申請」のインターフェースを示す。
【００４８】
例えば、出版部門（機関）がマルチメディア印刷書籍のインデックス番号を得る必要がある場合、MPR出版業務管理プラットフォームにマルチメディア印刷書籍の登録データ（例えば、書籍の名称、出版者、ISBN等）を記入しなければならない。MPR出版業務管理プラットフォームは、本発明の実施例の方法に従って、出版者に当該書籍用に１つのインデックス番号（すなわち、前置符号の１つの具体的な形式）を発行する。
【００４９】
そのうち、マルチメディア印刷書籍のインデックス番号は、シリアル番号に応じて生成された１０ビットの数字序列でよく、発行形式として、*.mraをファイルの拡張子とする電子ファイル（すなわち、前記実施例で記述されている授権ファイル）であり、また、マルチメディア印刷書籍のインデックス番号などの情報をデータベースに記録する。出版部門（機関）が電子ファイルをダウンロードすれば、マルチメディア印刷書籍のインデックス番号の獲得が完了することになる。MPR出版業務管理プラットフォームは、マルチメディア印刷書籍のインデックス番号を統一的に発行、管理し、そのインデックス番号の一意性を保証する。
【００５０】
２、前置符号の受け取り
MPR出版業務管理プラットフォームは、MPR運営管理プラットフォーム（または、MPRセンター機構操作プラットフォーム）に対し前置符号を申請し、MPR運営管理プラットフォームは、MPR出版物国際事務組織により確認されて申請が許可されると、当該書籍の前置符号電子ファイルを生成するとともにファイルリンクアドレスを登録する。MPR運営管理プラットフォームは、MPR出版者が出版業務プラットフォームの業務操作インターフェースでダウンロードするように、当該ファイルのリンクアドレスをMPR出版業務管理プラットフォームに提供するか、または、当該電子ファイルをMPR出版業務管理プラットフォームに直接提供する（図６に示す）。
【００５１】
３、前置符号破棄
出版計画を変更するなどの原因で当該本の出版を中止する場合、MPR出版者は、MPR出版業務管理プラットフォームのメンバー操作インターフェースで、当該書籍の前置符号を即時に取り消しまたは破棄しなければならない。
【００５２】
４、音声ファイルパケットアップロード
MPR出版者は、該書籍の植字レイアウトを完了した後、MPR出版業務管理プラットフォームを介して該書籍の音声ファイルパケット（ファイル種類、*.muf）をアップロードし、MPR出版業務管理プラットフォームは、アップロードしたファイルパケットを対応するデータベースに記憶する。アップロードインターフェースは、図７に示すとおりであってよい。
【００５３】
例えば、出版部門（機関）は、マルチメディア印刷書籍に対応するデジタルメディアファイル（ファイルの種類、*.muf）を作成してから、ネットワークを介してこのファイルをMPR出版業務管理プラットフォームにアップロードする。MPR出版業務管理プラットフォームは、データベースをサーチし、当該書籍の名称、出版者、インデックス番号などの情報を得て、これらの情報に基づいて、暗号化などの技術によりMUFデジタルメディアファイルをMPRリーダしか識別できないMPRデジタルメディアファイル（ファイルの種類：*.mpr）に変換し、ユーザにダウンロードできるように提供する。
【００５４】
MPRデジタルメディアファイルを識別するための方法は、MPRデジタルメディアファイルのファイル名（ファイル拡張子を含まない）を当該書籍のインデックス番号を３２進法により変換した後の数字文字列とすることである。例えば、マルチメディア印刷書籍『国語』一年＜上＞のインデックス番号が0070000001であれば、書籍に対応するMPRデジタルメディアファイルを022O7Cl.mprと命名すべきである。
【００５５】
５、MPRデジタルメディアファイルのダウンロード
MPR出版者の音声照合を便利にするため、MPR出版者は、出版業務管理プラットフォーム業務操作インターフェースにおいて当該書籍のMPRデジタルメディアファイルをダウンロードすることができる。マルチメディア印刷書籍は多言語の要求を満足することができるため、MPR出版業務管理プラットフォームも、それに応じて様々な異なる言語バージョンのウェブを開発しなければならない。
【００５６】
二、MPR運営管理プラットフォーム
MPR運営管理プラットフォームは、MPR出版業務管理プラットフォームのバックグラウンドシステムで、MPR出版物データベース及びMPRデジタルメディアファイルの媒体である。様々な異なる言語に対し、MPR運営管理プラットフォームも、様々な異なる言語バージョンを備える。主に、以下の幾つの機能を備える。
【００５７】
１、前置符号発行
MPR運営管理プラットフォームは、MPR出版業務管理プラットフォームに記録されている、出版者が提出した書籍の登録データ及び内容を照合し、照合が認定された後、MPR出版者に発行する前置符号電子ファイルを生成するとともに、ファイルのリンクアドレスまたはファイルをMPR出版業務管理プラットフォームに送信する。例えば、２つのプラットフォームがデータベースを共用する場合、データベースにおける当該電子ファイルのアドレスのみをMPR出版業務管理プラットフォームに知らせる。
【００５８】
２、前置符号破棄
MPR運営管理プラットフォームは、MPR出版者がMPR出版業務管理プラットフォームを介して提出したリクエストに基づいて、当該前置符号の使用をいつでも取りやめることができる。
【００５９】
３、前置符号延期
MPR出版者が有効期間内に当該書籍の出版を完成していなければ、MPR運営管理プラットフォームは、MPR出版者がMPR出版業務管理プラットフォームを介して提出したリクエストに基づいて、当該前置符号の使用期限を延長することができる。
【００６０】
４、MPRデジタルメディアファイルのアップロード
MPR運営管理プラットフォームは、MPR出版者がアップロードしたデジタルメディアファイル（例えば、音声ファイルパケット）に対し変換及び／または暗号化などの処理を行い、対応する標準MPRデジタルメディアファイル（ファイルの種類：*.mpr）を生成し、MPR出版業務プラットフォームのウェブにアップロードすることができる。
【００６１】
５、マルチメディア印刷書籍の統計
MPR運営管理プラットフォームは、マルチメディア印刷書籍の数を統計し、データを集計し表を作成することができる。
【００６２】
６、MPR出版者の管理
MPR運営管理プラットフォームは、MPR出版者の情報を管理することができ、例えば、MPR出版者を増加させたり、MPR出版者のデータを修正したりすることができる。
【００６３】
三、MPR読者サービスプラットフォーム
MPR読者サービスプラットフォームは、マルチメディア印刷書籍とMPRリーダとを繋げる専用のネットワークプラットフォームである。マルチメディア印刷書籍の読者は、当該プラットフォームにおいて、例えば、ユーザ登録、マルチメディア印刷書籍の購入、ダウンロードなどの操作を行うことができる。
【００６４】
上記説明から分かるように、本発明の実施例に係るネットワークプラットフォームシステムでは、プラットフォームは、マルチメディア印刷書籍のクロスメディア関連の一意のコードを統一的に発行することができるため、出版者が取得したマルチメディア印刷書籍のクロスメディア関連の一意のコードの独特性を保証し、異なる出版物が同じ暗号化コードを共用する可能性を避けられ、ユーザの閲読体験が増え、さらにマルチメディア読取出版物のネットワーク化管理を実現し、管理効率の向上に便利である。
【００６５】
本発明の実施例によれば、マルチメディア印刷書籍の出版及び使用サービスに対する自動化及び統一化を実現し、版権が保護されたデジタル出版サービスプラットフォームを出版者に提供することができる。一方、出版業務データベースは、このような操作方式を同期させ／発行することによりマルチメディア印刷書籍の基礎データ（例えば、書名、著者、ISBNなど）を読者プラットフォームデータベースにコピーすることができる。読者サービスプラットフォームにおいて、これらの基礎データは読み出し専用であり、このようにして、データのバックアップを実現できるだけではなく、データの一致性を保証することもできる。また、読者サービスプラットフォームがどのようにこれらの基礎データを利用して他の関連アプリケーション（例えば、ネットショッピングなど）に適用するかは、読者プラットフォームが製品規格に基づいて設計することができるため、元の基礎データを損なうことはない。
【００６６】
これに対し、図８は、本発明の実施例に係るネットワークプラットフォーム管理方法の具体的なフローチャートである。当該方法は、マルチメディア印刷書籍のクロスメディア関連の一意のコードを管理することにより、マルチメディア印刷書籍の出版及び使用に対するサービスを実現するために用いられ、出版業務管理プラットフォームと、読者サービスプラットフォームと、出版業務データベースと、読者プラットフォームデータベースとを備える、上述した実施例におけるネットワークプラットフォームシステムに適用するネットワークプラットフォーム管理方法である。
【００６７】
当該方法は、以下のステップを含む。
ステップ８０１：出版業務管理プラットフォームは、出版者にマルチメディア印刷書籍のクロスメディア関連の一意のコードを発行し、そのうち、前記マルチメディア印刷書籍のクロスメディア関連の一意のコードは、このようなマルチメディア印刷書籍のクロスメディアの関連関係を一意に示すために用いられるとともに特定の一意のコード下で生成された全ての符号の一意性を確保する。
【００６８】
ステップ８０２：出版業務管理プラットフォームは、出版者が提出したマルチメディア印刷書籍のマルチメディア情報を前記出版業務データベースに記憶するとともに前記出版業務データベース内のデータを、前記読者プラットフォームデータベースに同期させ／発行する。
【００６９】
ステップ８０３：読者サービスプラットフォームは、読者が提出したリクエストに基づき前記読者プラットフォームデータベースから前記マルチメディア情報を取得するとともに前記読者に供給する。
【００７０】
ここで、前記マルチメディア印刷書籍は、MPR出版物を含み、前記マルチメディア印刷書籍のクロスメディア関連の一意のコードは、MPRコード前置符号を含み、前記マルチメディア印刷書籍のクロスメディア関連の一意のコード情報は、授権ファイルの形で記憶・発行する。同時に、ステップ８０１とステップ８０２〜８０３との間の前後の順序は、必然的なものではがなく、例えば、ステップ８０１のマルチメディア印刷書籍とステップ８０２〜８０３のマルチメディア印刷書籍とが同一の対象でなければ、ステップ８０２〜８０３をステップ８０１の前に実行してもよい。但し、ここで、ステップ８０２〜８０３のマルチメディア印刷書籍も、それと一対一で対応するマルチメディア印刷書籍のクロスメディア関連の一意のコードを有すると言っておかなければならない。
【００７１】
前置符号の発行の管理を行う外、その他の管理、例えば、以下のＡ〜Ｂの管理を実現することができる。
【００７２】
Ａ、出版業務管理プラットフォームが、前記出版者のリクエストに基づき前記マルチメディア印刷書籍のクロスメディア関連の一意のコードの管理リクエストを生成するとともに、前記マルチメディア印刷書籍のクロスメディア関連の一意のコードの管理リクエストを前記運営管理プラットフォームに送信する。前記管理リクエストは、キャンセルリクエストまたは延期リクエストを含み、前記管理作業は、前記マルチメディア印刷書籍のクロスメディア関連の一意のコードをキャンセルする、または前記マルチメディア印刷書籍のクロスメディア関連の一意のコードの使用期限を延長することを含む。
【００７３】
Ｂ、運営管理プラットフォームが、受信した前記マルチメディア印刷書籍のクロスメディア関連の一意のコードの管理リクエストに基づき管理作業を行う。
【００７４】
一方、この方法は、さらに、以下のステップのうち１つまたは複数を含む。
【００７５】
１、運営管理プラットフォームが出版業務データベースに記憶するマルチメディア印刷書籍のマルチメディア情報を変換し、標準的なマルチメディア印刷書籍のマルチメディア情報を得るとともに出版業務データベースに記憶する。
２、運営管理プラットフォームが、前記ネットワークプラットフォームのデータベースに記憶するマルチメディア印刷書籍のマルチメディア情報を通常暗号化処理するとともに、印刷物としか共に使用できないマルチメディアを得られる。或いは、運営管理プラットフォームが前記読者のユーザ口座番号情報を得て、前記ユーザ口座番号情報に基づき、前記ネットワークプラットフォームのデータベースに記憶されるマルチメディア印刷書籍のマルチメディア情報にカスタマイズ化された暗号化処理を行うとともに、前記ユーザ口座番号を用いる読者のみがマルチメディアリーダで識別できる暗号化マルチメディアファイルを使用できるように提供する。
３、前記出版業務管理プラットフォームは、出版者が提出したマルチメディア印刷書籍のクロスメディア関連の一意のコードのリクエスト情報に基づき、前記運営管理プラットフォームより、マルチメディア印刷書籍のクロスメディア関連の一意のコードを得て、前記運営管理プラットフォームは、出版業務管理プラットフォームが提出したマルチメディア印刷書籍のクロスメディア関連の一意のコードのリクエスト情報を照合し、照合が認定された後、マルチメディア印刷書籍のクロスメディア関連の一意のコードを得るとともに、マルチメディア印刷書籍のクロスメディア関連の一意のコードを前記出版業務管理プラットフォームに提供する。
【００７６】
ステップ３では、運営管理プラットフォームが、出版業務管理プラットフォームが提出したマルチメディア印刷書籍のクロスメディア関連の一意のコードのリクエスト情報を照合し、照合が認定された後、マルチメディア印刷書籍のクロスメディア関連の一意のコードを得るとともに、マルチメディア印刷書籍のクロスメディア関連の一意のコードを前記出版業務管理プラットフォームに提供するが、さらに、
前記機械操作管理プラットフォームは、出版業務管理プラットフォームが得たマルチメディア印刷書籍のクロスメディア関連の一意のコードのリクエスト情報を照合することと、
照合が認定された後、シリアル番号に基づきマルチメディア印刷書籍のクロスメディア関連の一意のコードを生成し、前記マルチメディア印刷書籍のクロスメディア関連の一意のコードに基づき授権ファイルを生成するとともに、前記授権ファイルを前記ネットワークプラットフォームのデータベースに記憶することとを含む。ここで、前記授権ファイルにおいて、マルチメディア印刷書籍のクロスメディア関連の一意のコードを含み、前記出版者は、出版業務管理プラットフォームを介して前記授権ファイルを取得することができる。
【００７７】
同時に、本発明の実施例では、さらに、マルチメディア印刷書籍のリアルタイムオンラインサービスを実現することができる。
【００７８】
すなわち、ユーザ端末のアプリケーションプログラムは、マルチメディア印刷書籍のクロスメディア関連の一意のコードを含む印刷書籍の情報に基づいて、対応する印刷書籍データベースのアドレスを見つけ出し、前記印刷書籍データベースには前記マルチメディア印刷書籍のマルチメディア情報が記憶されており、前記印刷書籍データベースのアドレスに基づいて、対応する印刷データベースから前記印刷書籍の情報に対応するマルチメディア情報を得て、リアルタイムかつオンラインでの読み取りを実現させる。
【００７９】
そのうち、前記過程では、ユーザ端末のアプリケーションプログラムは、まず、記憶された、マルチメディア印刷書籍のクロスメディア関連の一意のコードを含む印刷書籍情報を復号化し、復号化してからマルチメディア情報に記憶されたアドレス（例えば、データベースのURLを含む）を得て、当該アドレスに基づいて対応するデータベース（１つのIPアドレスに対し複数のデータベースを有する可能性がある）にリンクすることができ、前記復号化により得たマルチメディア情報に記憶されたアドレスは、さらに、対応するデータベースにおける当該マルチメディア情報の具体的な位置を含むため、当該マルチメディア情報を取得するとともにユーザ端末のアプリケーションプログラムに返送することができる。このように、ユーザは、当該アプリケーションプログラムを利用して対応する操作を行えば、マルチメディア情報を読むなどのアプリケーションをリアルタイムでオンライン実行することができる。
【００８０】
本実施例における具体的解釈は、上述した実施例と同じであるため、ここで繰り返して説明しない。本発明の実施例では、各プラットフォームは、ウェブを運営するサポートプラットフォームであってよく、ユーザが操作するインターフェースは、ウェブのユーザインターフェースなどであってよい。
【００８１】
本発明の実施例に係るネットワークプラットフォーム管理方法では、マルチメディア印刷書籍のクロスメディア関連の一意のコードを統一的に発行することができるため、出版者が得たマルチメディア印刷書籍のクロスメディア関連の一意のコードの独特性を保証し、異なる出版物が同じ符号化コードを共用する可能性を避けられ、ユーザの閲読体験が増え、さらにマルチメディア読取出版物のネットワーク化管理を実現し、管理効率の向上に便利である。本発明の実施例によれば、マルチメディア印刷書籍の出版及び使用サービスに対する自動化及び統一化を実現し、版権が保護されたデジタル出版サービスプラットフォームを出版者に提供することができる。一方、出版業務データベースは、このような操作方式を同期させ／発行することによりマルチメディア印刷書籍の基礎データ（例えば、書名、著者、ISBNなど）を読者プラットフォームデータベースにコピーすることができる。読者サービスプラットフォームにおいて、これらの基礎データは読み出し専用であり、このようにして、データのバックアップを実現できるだけではなく、データの一致性を保証することもできる。また、読者サービスプラットフォームがどのようにこれらの基礎データを利用して他の関連アプリケーション（例えば、ネットショッピングなど）に適用するかは、読者プラットフォームが製品規格に基づいて設計することができるため、元の基礎データを損なうことはない。
【００８２】
以上の実施形態の説明によって、各実施形態をソフトウェア及び必要とする汎用のハードウェアプラットフォームにより実現することができ、また、当然ハードウェアでも実現できることは、当該領域における技術者が明確に理解すべきである。このような理解の下で、前記技術的方案は、実質的に、または従来技術に貢献する部分について、ソフトウェア製品の形で実現することができる。当該コンピュータソフトウェア製品は、コンピュータで読取可能な記憶媒体、例えば、ROM/RAM、磁気ディスク、光ディスクなどに記憶することができ、また、一台のコンピュータ機器（パソコン、サーバ、またはネットワーク機器などを含む）に各実施例または実施例の一部に係る方法を実行させるための複数の指令を含む。
【００８３】
以上に記述した実施形態は、当該技術的方案が保護する範囲を限定するものではない。前記実施形態の精神及び実質的範囲内で行ったあらゆる補正、均等な置換及び改良などは、当該技術的方案の保護範囲内に全て含まれるべきである。
【００８４】
本出願は、２０１０年６月１３日に中国専利局に提出された中国特許出願（出願番号２０１０１０２０２３８３．２、発明の名称「ネットワークプラットフォームシステム及びその管理方法」）の優先権を求めており、その内容が全て本出願に引用され組み合わされている。
【図１】
0005579321.tif 000002
【図２】
0005579321.tif 000003
【図３】
0005579321.tif 000004
【図４ａ】
0005579321.tif 000005
【図４ｂ】
0005579321.tif 000006
【図４ｃ】
0005579321.tif 000007
【図８】
0005579321.tif 000008
【図９】
0005579321.tif 000009
【図１０】
0005579321.tif 000010
【図１１】
0005579321.tif 000011
【図１２】
0005579321.tif 000012
【図１３】
0005579321.tif 000013
【図５】
0005579321.tif 000014
【図６】
0005579321.tif 000015
【図７】
0005579321.tif 000016